(57)【特許請求の範囲】
【請求項１】
枠体内に熱源と温水タンクと循環ポンプと往きヘッダーと戻りヘッダーとを備え、
前記熱源と前記循環ポンプとを制御する制御部を内蔵した熱源機と、
室内に設置され放熱によって暖房を行う複数の放熱器と、
室内に設置された前記放熱器それぞれに対応するリモコンを備え、
前記熱源機と前記放熱器との間を接続する一対の往き管と戻り管から成る連絡配管を前記放熱器毎に有し、
前記往きヘッダーには前記往き管が接続する接続口を長手方向に複数備え、
前記戻りヘッダーには前記戻り管が接続する接続口を前記往きヘッダーの接続口と同数だけ長手方向に複数備え、
前記制御部と前記リモコンそれぞれを接続する信号線を複数備え、
前記循環ポンプにて温水を複数の前記放熱器に循環する温水暖房装置に於いて、
前記熱源機には前記往きヘッダーと前記戻りヘッダーとを収容した配管接続部を備え、
前記配管接続部には、前記往きヘッダーの長手方向と前記戻りヘッダーの長手方向とが略平行となるように固定するヘッダー固定板を有し、
前記ヘッダー固定板には、前記リモコンに接続された前記信号線の一部を固定し前記往きヘッダー及び前記戻りヘッダーの接続口と同数だけあり、一対の前記往きヘッダーの接続口と前記戻りヘッダーの接続口とを結ぶ線分の延長線上に固定具取付部を設け、
前記固定具取付部に電線固定具を固定したこと特徴とする温水暖房装置。
【請求項２】
前記往きヘッダーには、弁の開閉により温水の流動を制御する温水制御弁を備えたことを特徴とする請求項１記載の温水暖房装置。
【請求項３】
前記電線固定具は前記信号線を挟み込むクリップで構成されたことを特徴とする請求項１または２記載の温水暖房装置。
【発明の詳細な説明】
【技術分野】
【０００１】
この発明は、温水を複数系列の温水パネルに循環して温水暖房を行う温水暖房装置に関するものである。
【背景技術】
【０００２】
従来例として、枠体内に熱源と温水タンクと循環ポンプと往きヘッダーと戻りヘッダーとを備え、前記熱源と循環ポンプ等を制御する制御部を内蔵した熱源機と、室内に設置され放熱によって暖房を行う放熱器と、前記循環ポンプにて温水を複数の放熱器に循環し、前記複数の放熱器が設置された室内にそれぞれ設けた複数のリモコンを有し、前記リモコンには運転スイッチや、暖房出力を設定する温度設定スイッチ等の操作部を備え、前記熱源機と放熱器との間を接続する一対の往き管と戻り管から成る連絡配管を複数有し、前記熱源の制御部とリモコンを接続する信号線を複数備えた温水暖房装置が有り、一つの熱源に対して多数の部屋に温水を循環させ、床暖房等の温水による暖房をを行う。
【０００３】
そして、それぞれの部屋に設けられたリモコンにて暖房運転要求と設定温度の信号が発信されると熱源が作動して暖房用循環水を加熱し、温水タンクから循環ポンプの作動にて各部屋に設置された温水パネル（放熱器）に温水が供給され温水パネルの放熱で暖房が行われる。前記循環ポンプと温水パネルの間には熱動弁が設けられ、この熱動弁の開閉時間の調節により、温水パネルへ供給される温水量を変化して各部屋の温度が調節される。（例えば、特許文献１参照）
【先行技術文献】
【特許文献】
【０００４】
【特許文献１】特許５４１１７７７号公報
【発明の概要】
【発明が解決しようとする課題】
【０００５】
この従来例の温水暖房装置では、各部屋に設置されている放熱器は連絡配管で熱源機と接続されて温水回路を形成し、各部屋に設置されているリモコンは信号線によって熱源機の制御部に接続されており、信号線を間違って接続した場合には、リモコンで暖房運転や温度設定等の操作を行っても、リモコンの設置された部屋の暖房運転が行われずに別の部屋が暖房されたり、正しい温度設定ができない問題がある。このような誤配線は、器具の設置工事の場合だけでなく、故障の修理作業時などでも発生するものだった。
【課題を解決するための手段】
【０００６】
この発明はこの点に着目し上記欠点を解決する為、特にその構成を、枠体内に熱源と温水タンクと循環ポンプと往きヘッダーと戻りヘッダーとを備え、前記熱源と前記循環ポンプとを制御する制御部を内蔵した熱源機と、室内に設置され放熱によって暖房を行う複数の放熱器と、室内に設置された前記放熱器それぞれに対応するリモコンを備え、前記熱源機と前記放熱器との間を接続する一対の往き管と戻り管から成る連絡配管を前記放熱器毎に有し、前記往きヘッダーには前記往き管が接続する接続口を長手方向に複数備え、前記戻りヘッダーには前記戻り管が接続する接続口を前記往きヘッダーの接続口と同数だけ長手方向に複数備え、前記制御部と前記リモコンそれぞれを接続する信号線を複数備え、前記循環ポンプにて温水を複数の前記放熱器に循環する温水暖房装置に於いて、前記熱源機には前記往きヘッダーと前記戻りヘッダーとを収容した配管接続部を備え、前記配管接続部には、前記往きヘッダーの長手方向と前記戻りヘッダーの長手方向とが略平行となるように固定するヘッダー固定板を有し、前記ヘッダー固定板には、前記リモコンに接続された前記信号線の一部を固定し前記往きヘッダー及び前記戻りヘッダーの接続口と同数だけあり、一対の前記往きヘッダーの接続口と前記戻りヘッダーの接続口とを結ぶ線分の延長線上に固定具取付部を設け、前記固定具取付部に電線固定具を固定したものである。
【発明の効果】
【０００７】
この発明によれば、ヘッダー固定板には、リモコンに接続された信号線の一部を固定し往きヘッダー及び戻りヘッダーの接続口と同数だけあり、一対の往きヘッダーの接続口と戻りヘッダーの接続口とを結ぶ線分の延長線上に固定具取付部を設けたことで、信号線を固定する作業が容易になり、更に、固定具取付部を各接続口を結ぶ線分の延長線上に設けることで、各接続口に対応する連絡配管と信号線が目視で確認でき、信号線の接続作業における誤配線を少なくすることができる。
【図面の簡単な説明】
【０００８】
【図１】この発明一実施例の斜視図。
【図２】同概略の説明図。
【図３】同要部の分解斜視図。
【図４】同要部の背面図。
【図５】同要部の平面図。
【図６】同枠体の一部を外した状態の斜視図。
【図７】同配管接続部部の分解斜視図。
【図８】同クリップの拡大説明図。
【図９】同電源線を右側面側より取り付けた状態の斜視図。
【発明を実施するための形態】
【０００９】
次に、この発明に係る温水床暖房装置を図面に示された一実施例で説明する。
１は温水床暖房装置の熱源機で、枠体２内を水平仕切板３にて上下２室に分けられ、下部には冷凍回路室４を、上部には温水回路室５を備え、温水連絡配管６によって、室内に設置された床暖房の温水パネル７（放熱器）と接続されている。
前記冷凍回路室４の底面は底板８を、前面は前パネル９、右側面は右側板１０、左側面は左側板１１、上面を前記水平仕切板３で包囲している。
また、前記温水回路室５の前面は前パネル上１２、右側面は右側板上１３、左側面から背面にかけてＬ字形にカバーする左側板上１４、上面の天板１５を有する。
【００１０】
前記冷凍回路室３の背面と左側面には空気吸込口１６が、前面の前パネル９には吹出口１７を備え、内部には圧縮機１８、蒸発器１９、膨張弁２０、送風ファン２１と冷凍回路制御部２２等を設けている。
前記温水回路室４の天板１５には給水用蓋２３が、右背面に配管カバー２４を備え、内部には冷媒接続バルブ２５、水−冷媒熱交換器２６、温水タンク２７、循環ポンプ２８、往き温水ヘッダ２９、戻り温水ヘッダ３０と温水回路制御部３１等を設け、前記戻り温水ヘッダ３０、水−冷媒熱交換器２６、温水タンク２７、循環ポンプ２８、往き温水ヘッダ２９を順次接続している。
前記温水回路室５の右背面側をヘッダーベース３２と上ヘッダーベース３３で仕切って配管接続部３４を備え、この配管接続部３４の背面に前記連絡配管６を束ねる略コの字形の固定金具２４ａを介して配管カバー２４が取り付けられる。
【００１１】
３５は前記ヘッダーベース３２にネジ止めされるヘッダー固定板で、前記往き温水ヘッダ２９と戻り温水ヘッダ３０にそれぞれ４対設けた接続口２９ａ・３０ａを穴３５ａに挿入した状態で固定する。前記往き温水ヘッダ２９と戻り温水ヘッダ３０の接続口２９ａ・３０ａは背面側下方に向けて固定され、上下一対の接続口２９ａ・３０ａに前記放熱器７を接続してで個別に温水回路３６を形成する。前記放熱器７の設置された部屋にはリモコン３７が設置され、使用者の好みに応じて部屋の温度等を設定する。前記放熱器７が設置された部屋にそれぞれ設置されたリモコン３７と前記温水回路制御部３１は信号線３８で接続される。
上下一対の接続口２９ａ・３０ａの近傍上部に前記信号線３８を係止するクリップ３９を取り付けるクリップ取付部３５ｂを設けることで、設置や修理等のメンテナンス作業での誤配線の可能性が少なくなり、作業効率が向上する。
【００１２】
前記往き温水ヘッダ２９には４個の接続口２９ａを備え、温水を４回路まで分岐可能で有り、分岐後の出口にはそれぞれ熱動弁等の温水制御弁４０が取り付けられ、前記温水回路制御部３１によって、熱動弁４０の閉弁の時間を調節することで各部屋に設置された温水パネル７の温度を調節する。
前記戻り温水ヘッダ３０は、各部屋の温水パネル７から戻る温水の温度をサーミスタセンサ等によって検知する戻りセンサ４１を設けている。
前記温水回路３６は往き温水ヘッダ２９と温水連絡配管６と温水パネル７と戻り温水ヘッダ３０を連通して、温水を循環することで床暖房を行う。温水ヘッダ２９・３０の接続口２９ａ・３０ａの数によって最大４つの並列な温水回路３６を設定することができる。
【００１３】
前記熱動弁４０は対応する温水回路３６の戻りセンサ４１の温度が設定温度に達するまでは開弁し、設定温度到達後の閉弁時間を調整することで暖房温度を調節するもので、それぞれの温水回路３６に対応するリモコン３７の温度設定に従って各部屋の暖房を行うものである。
前記圧縮機１８は温水回路制御部３１に備えたインバータ駆動回路（図示せず）にて約１５〜１０５Ｈｚの間で多段階に回転数を変化することで往き温水の温度を調整する。前記蒸発器１９は縦長で多数のアルミニューム薄板に銅管を貫通させたフィンチューブ式の熱交換器で風上側と風下側に密接して、それぞれ１列ずつ設けられている。銅管は上下に２４段設けられ、内部に前記膨張弁２０で減圧された液冷媒が流入し、空気中の熱を奪い蒸発器１９の出口では気体となり圧縮機１８に戻っていく。
【００１４】
４２は前記水−冷媒熱交換器２６と膨張弁１１との間に設けられた冷凍回路放熱器で、前記蒸発器１９の風下側で下端より上下に２本の銅管にて構成し、前記水−冷媒熱交換器２６と膨張弁２０を接続するものであり、蒸発器１９の風下側のアルミニューム薄板を共用して、蒸発器１９と一体に形成されることで、内部熱交換器を使用せずに吐出圧力の上昇を抑えことができるので、製造コストを低く抑えることになる。また、除霜運転での溶け残りを防止することができ、除霜の効率を向上させることができる。また、吐出圧力の上昇を抑えるので圧縮機１８の消費電力増加を抑えることができ、高ＣＯＰを実現できる。
【００１５】
前記膨張弁２０は電子式の膨張弁で圧縮機１８の回転数や冷凍回路の各部温度等によって冷凍回路制御部２２にて開度が制御されるものである。
前記送風ファン２１は樹脂製のプロペラファンで、回転数可変の送風モータ４３によって回転し、前記空気吸込口７、蒸発器１０、送風ファン１２、吹出口８で室外送風経路４４を形成し、蒸発器１９にて外気から熱を奪うものである。
【００１６】
４５は前記空気吸込口１６の内側に設けられた気温センサで、サーミスタセンサー等により吸込空気の温度を検知する。４６は前記蒸発器１９に取り付けられた除霜センサで、蒸発器１９に発生した霜を検知する。４７は前記圧縮機１８の吐出側冷媒配管の表面に取り付けられた吐出温センサで、圧縮機１８の能力制御に等のために吐出冷媒の温度を検知する。４８は前記水−冷媒熱交換器２６に設けた熱交センサで、水−冷媒熱交換器２６の温度によって冷凍回路と温水回路の温度を調節する。４９は前記水−冷媒熱交換器２６の下流側で往き管５０の温度を検知する往きセンサで、この温度によって各温水パネル６の最高温度が決まるものである。５１は前記水−冷媒熱交換器２６の上流側で放熱した温度の低い温水が帰る戻り管。
【００１７】
前記リモコン３７は放熱器７が設置された室内に対応してそれぞれ複数個設けられ、それぞれの部屋の用途や使用者の好みに応じて、低温側から高温側まで９段階の温度を選択する温度設定スイッチ５２と、それぞれの部屋の暖房を運転・停止する運転スイッチ５３を設けている。
【００１８】
前記信号線３８は２芯または３芯の電線からなるもので、一端の端子３８ａを前記リモコン３７に接続し、他端の端子３８ｂを熱源機１の温水制御部３１に備えたプリント基板３１ａの端子接続部３１ｂに接続する。この端子接続部３１ｂは前記熱動弁４０に対応して４個設けられ、それぞれの端子接続部３１ｂは熱動弁４０と１対１で対応することで、複数設けられるリモコン３７の指令に応じて、温水制御部３１がリモコン３７に対応する熱動弁４０を作動して、前記往き温水ヘッダ２９の接続口２９ａを通過する温水量を調整してリモコン３７の設置される室内を暖房する放熱器７の温度調節が行われる。
【００１９】
従って、信号線３８の他端３８ｂを間違った端子接続部３１ｂに接続した場合には、リモコン３７で暖房運転や温度設定等の操作を行っても、リモコン３７の設置された部屋の暖房運転が行われずに別の部屋が暖房されたり、正しい温度設定ができないものであり、このような誤配線は、器具の設置工事の場合だけでなく、故障の修理作業時などでも発生する。この誤配線を防止するために、前記一対の往き管５０と戻り管５１、これらが接続される接続口２９ａ・３０ａ、この接続口２９ａ・３０ａに対応する熱動弁４０、接続口２９ａ・３０ａに対応するクリップ３９に固定される信号線３８、と端子接続部３１ｂの関係を目視で確実に確認することで信号線３８の誤配線を確実に防止する。
【００２０】
前記クリップ３９はナイロン製の電線固定具で、前記ヘッダー固定板３５のクリップ取付部３５ｂに設けた約直径３ｍｍの小穴に脚３９ａを差し込んで固定し、電線固定部３９ｂを回転して信号線３８を挟み込んで係止し固定する。
【００２１】
５４は電源線で、室内又は室外の商用電源（図示せず）から熱源機１に電気を供給するもので、右側面に備えた端子台５５接続して使用するが、電源線５４の取り回しや、商用電源の位置に応じて、配管接続部３４を通してヘッダーベース３２上部に備えた電源コードクランプ３２ａを経由する背面側経路と、右側面から端子台５５に直接接続する２つの接続経路を選択できることで、器具の設置工事や故障修理のメンテナンスの電源線５４の接続を容易にし、施工後の美観を向上させることができる。
【００２２】
５６は前記右側板１０の端子台取付部５７を覆い、熱源機１内への雨の侵入を防止する右カバーで、前記右側板１０にネジ止めされ、電源線５４の端子台５４への接続で着脱して使用する。
【００２３】
温水暖房機の設置工事の手順について説明する。
まず暖房を行おうとする部屋に床暖房パネルや温水輻射パネル等の複数の放熱器７を設置する。それぞれの放熱器７や部屋ごとにリモコン３７を設置する。尚、使用する放熱器７の数は、最多で温水ヘッダ２９・３０の接続口２９ａ・３０ａの数、本実施例では４個までであり、使用するリモコン３７も最多４個であるが、熱源機１の暖房能力や温水ヘッダ２９・３０の接続口２９ａ・３０ａの数は使用形態に応じて自由に変更可能である。それぞれの放熱器７には往き戻り一対の架橋ポリエチレン管等から成る温水連絡配管６が接続され、それぞれのリモコン３７には信号線３８の端子３８ａを接続する。
【００２４】
次に、放熱器７に接続された温水連絡配管６と、リモコン３７に接続された信号線３８を、屋外に設置された熱源機１まで延出し、温水連絡配管６と信号線３８を熱源機１に接続する。まず、枠体２の天板１５と右側板１３、配管カバー２４、固定金具２４ａ、右カバー５６を取り外す。
【００２５】
次に、往き・戻りが一対の温水連絡配管６を、往き温水ヘッダ２９の接続口２９ａと戻り温水ヘッダ３０の接続口３０ａを上下に揃えて接続し、放熱器７の数だけ繰り返す。次に、放熱器７と同じ部屋に設置されているリモコン２７に接続されている信号線３８の途中を、対応する往き温水ヘッダ２９の接続口２９ａの真上に備えたクリップ３９に固定し、更に信号線３７の端子３８ｂを温水回路制御部３１のプリント基板３１ａに備えた端子接続部３１ｂに接続する。往き温水ヘッダ２９の接続口２９ａの開閉を行う熱動弁４０と、これに対応する端子接続部３１ｂを介してリモコン３７の信号で目的とする部屋の暖房運転が制御される。温水連絡配管６と接続口２９ａ、接続口３０ａ、クリップ３９が上下に整列し、この位置と信号線３７の端子３８ｂを取り付ける端子接続部３１ｂを目視で確認できることで、信号線３７の誤配線を防止する。
【００２６】
次に、熱源機１に電源を供給する電源線５４が接続する。電源線５は使用する商用電源の位置に応じて２方向から供給することができる。室内からの温水連絡配管６や信号線３８と一緒に電源を供給するときは、配管接続部３４からヘッダーベース３２上部の電源コードクランプ３２ａを通して、水平仕切板３と右側板１０の間の隙間を通過して端子台５４に接続する。また、熱源機１近傍の屋外に商用電源を備えている場合は右カバー５６に備えた穴５６ａを通して直接端子台５４に接続できるものであり、熱源機１と商用電源の位置に応じて電源線５４の取り回しが選択できるので、設置工事が容易になり、且つ電源線５４の収まりも良く美観を向上することができる。
【００２７】
次に、枠体２の天板１５と右側板１３、配管カバー２４、固定金具２４ａ、右カバー５６を取り外した時とは逆の順番で取り付けて、それぞれの室内に設置されたリモコン３７から運転操作を行って、このリモコン３７の設置された部屋の暖房が正常に行われるかを、それぞれのリモコン３７で試運転を行うことで設置作業が終了する。
【００２８】
このように、各放熱器７に対応するリモコン３７に接続された信号線３８の一部を固定するクリップ取付部３５ｂを、各接続口２９ａ・３０ａに対応してヘッダー固定板３５に設けたことで、信号線３８を固定する作業が容易になり、更に、クリップ取付部３５ｂを各接続口２９ａ・３０ａの延長線上に設けることで、各接続口２９ａ・３０ａに対応する連絡配管６と信号線３８が目視で確認でき、信号線３８の接続作業における誤配線を少なくすることができる。
【符号の説明】
【００２９】
１    熱源機
６    連絡配管
７    放熱器
２７    温水タンク
２８    循環ポンプ
２９    往きヘッダ
２９ａ  接続口
３０    戻りヘッダ
３０ａ  接続口
３１    温水回路制御部
３４    配管接続部
３５    ヘッダー固定板
３７    リモコン
３８    信号線
３９    クリップ
４０    温水制御弁（熱動弁）
【図１】
0006612677.tif 000002
【図２】
0006612677.tif 000003
【図３】
0006612677.tif 000004
【図４】
0006612677.tif 000005
【図５】
0006612677.tif 000006
【図６】
0006612677.tif 000007
【図７】
0006612677.tif 000008
【図８】
0006612677.tif 000009
【図９】
0006612677.tif 000010